(57)【要約】      （修正有）【課題】各種飲料水等容器を花瓶等として使用する際に水を注ぎやすくしまた、花を生けた場合等に重心が高くなった各種飲料水等容器が転倒する危険性を予防する漏斗状部材を提供する。【解決手段】本漏斗状部材は、漏斗状の本体と、本体底部に、複数の各種飲料水等容器の各口部にそれぞれ隙間なく結合される複数の開口部を有することを特徴とする。【選択図】図１
0003154077.tif 000002
【実用新案登録請求の範囲】
【請求項１】
漏斗状の本体と，本体底部に各種飲料水等容器の口部に隙間なく結合される開口部を有することを特徴とする，漏斗状部材。
【請求項２】
漏斗状の本体と，本体底部に，複数の各種飲料水等容器の各口部にそれぞれ隙間なく結合される複数の開口部を有することを特徴とする，漏斗状部材。
【請求項３】
前記複数の開口部が，互いに接した複数の各種飲料水等容器の各口部にそれぞれ隙間なく結合されることを特徴とする，請求項２に記載の漏斗状部材。
【請求項４】
前記開口部が，スクリュー状あるいは同心円段差状等の形状であることを特徴とする，請求項１乃至請求項３のいずれかに記載の漏斗状部材。
【請求項５】
本体上部の形状が変形可能であることを特徴とする，請求項１乃至請求項４のいずれかに記載の漏斗状部材。
【請求項６】
プラスチック，樹脂，ガラス等からなることを特徴とする，請求項１乃至請求項５のいずれかに記載の漏斗状部材。
【考案の詳細な説明】
【技術分野】
【０００１】  本考案は，各種飲料水等容器を簡便に花瓶等として使用するための，プラスチックや樹脂等からなる漏斗状部材に関するものである。
また，本考案は，花瓶等としての使用時に転倒しやすい各種飲料水等容器を複数連結させて安定させる，プラスチックや樹脂等からなる漏斗用部材に関するものである。
【背景技術】
【０００２】  ペットボトル等各種飲料水等容器を花瓶等として使用することは，従来から行われている。例えば，病院等において，何らかの理由で急に花瓶等を用意できない状況においては，容易に調達できる各種飲料水等容器が花瓶として利用されてきた。
しかし，各種飲料水等容器を花瓶として使用する際には，注入口が狭いため，水を入れる際に水が外にこぼれる危険性があった。
さらに，花を生けた場合には重心が高くなって容器が転倒する危険性も発生し，これらを解決する部材は存在しなかった。部屋の雰囲気に合わせるインテリア性に優れた部材は存在しなかった。
【考案の開示】
【考案が解決しようとする課題】
【０００３】  本考案は，上記述べた従来の問題点を解決するためになされたもので，その目的とするところは，各種飲料水等容器を花瓶として使用する際，水注入時に，水が外にこぼれるのを防ぐことができる漏斗状部材を提供することである。
また，複数の各種飲料水等容器を連結して花瓶として使用する場合に，各種飲料水等容器が転倒するのを防止することができる漏斗状部材を提供することである。
さらに，一つ以上の各種飲料水等容器を花瓶として使用する場合に，部屋の雰囲気に合わせたインテリア性に優れた漏斗状部材を提供することである。
【課題を解決するための手段】
【０００４】  上記目的を達成するために，本考案に係る漏斗状部材は，漏斗状の本体と，本体底部に各種飲料水等容器の口部に隙間なく結合される開口部を有することを特徴とする。【０００５】  また，本考案に係る漏斗状部材は，漏斗状の本体と，本体底部に，複数の各種飲料水等容器の各口部にそれぞれ隙間なく結合される複数の開口部を有することを特徴とする。また，同複数の開口部が，互いに接した複数の各種飲料水等容器の各口部にそれぞれ隙間なく結合され得ることも特徴とする。【０００６】  さらに，本考案に係る漏斗状部材は，前記開口部が，スクリュー状あるいは同心円段差状等の形状であることを特徴とする。【０００７】  また，本考案に係る漏斗状部材は，本体上部の形状が変形可能であることを特徴とする。【０００８】  さらに，本考案に係る漏斗状部材は，プラスチック，樹脂，ガラス等からなることを特徴とする。
【考案の効果】
【０００９】  本考案の漏斗状部材によれば，何らかの理由で急に花瓶を用意できない状況において，身近にある各種飲料水等容器を利用して簡単に花瓶を作ることができる。
また，本考案の漏斗状部材によれば，各種飲料水等容器に水を注入するに際しても，水が外にこぼれるのを防ぐことができる。
さらに，本考案の漏斗状部材によれば，複数の各種飲料水等容器を利用して作った花瓶を安定して結合させるので，それら容器が転倒を防止することが出来る。
また，本考案の漏斗状部材によれば，本体上部の注入口の形状を変化させて部屋の雰囲気に合わせたインテリア性に優れた花瓶を簡単に作ることができる。
また，花瓶が不要になった場合には，本考案に係る漏斗状部材を簡単に収納または持ち運びができ，各種飲料等容器は簡単に処分できる。
【考案を実施するための最良の形態】
【００１０】  図１は，本考案の漏斗状部材の第１の実施の形態を示している。この実施の形態では，単一の飲料水用等容器を花瓶として使用する場面を想定している。本考案の漏斗状部材は，プラスチック，樹脂，ガラス等の素材からなる。飲料水用等容器は，ポリエチレンテレフタレートを材料とする清涼飲料水用ペットボトルが代表的なものであるが，それに限定されるわけでなく，樹脂，ガラス等の素材からなる飲料水用等容器であっても構わない。本実施の形態に係る漏斗状部材は，漏斗状の本体及び本体底部の開口部からなる。
図１（ａ），図１（ｂ）には，第１の実施形態に係る漏斗状部材の斜視図，平面図が示されている。ここで１は，漏斗状の本体，２は，飲料水用等容器に結合される開口部，３は，本体上部の注入口である。【００１１】  開口部２の内部には，雌ネジが形成され，各種飲料水等容器の口部の雄ネジに隙間なく結合するようにされている。各種飲料水等容器の口部の雄ネジは，スクリュー状，同心円段差状等様々な形状のものがあるため，それに対応して，開口部２内部の雌ネジの形状もスクリュー状，同心円段差状等様々な形状をとり得る。図２（ａ）は，開口部２内部の雌ネジがスクリュー状のもの，図２（ｂ）は，開口部２内部の雌ネジが同心円段差状のものを示している。そして，各種飲料水等容器を回転させながら，その口部を開口部２に結合させることで，各種飲料水等容器と本考案に係る漏斗状部材とを隙間なく結合することが出来る。図１（ｃ）は，実際に隙間無く結合した状態が示している。ここで，４が各種飲料水等容器である。【００１２】  本考案にかかる漏斗状部材においては，本体上部の注入口３の形状を色々と変化させてデザイン性に優れた花瓶を形成することが出来る。図２（ｃ）にはその一例として，注入口３を花びら状としたものを示している。【００１３】  図３は，本考案に係る漏斗状部材の第２の実施の形態を示している。この実施の形態では，３つの飲料水用等容器を花瓶として使用する場面を想定している。図３（ａ），図３（ｂ）は，第２の実施形態に係る漏斗状部材の斜視図，平面図が示している。本実施の形態に係る漏斗状部材は，漏斗状の本体１，本体底部に形成された３つの開口部２からなる。図３（ｃ）に示すように，本実施の形態の３つの各種飲料水等容器は同じ大きさのものを利用しており，それらは互いに接するように配置される。そして，互いに接した３つの各種飲料水等容器４の各口部に３つの各開口部２がそれぞれ結合されるよう，各開口部２の中心間距離は全て等しくされている。さらに，飲料水等容器４の大きさによって，各飲料水等容器４を接して連結させた際の各口部間距離が異なるため，本実施の形態では，それに対応して各開口部２の中心間距離が相違する，異なる大きさの漏斗状部材を作ることが出来る。【００１４】  本実施の形態においても，開口部２内部の雌ネジの形状はスクリュー状，同心円段差状等様々な形状をとり得る。図４（ａ）は，開口部２内部の雌ネジがスクリュー状のもの，図４（ｂ）は，開口部２内部の雌ネジが同心円段差状のものを示している。そして，各種飲料水等容器４を回転させながら，その口部を開口部２に結合させることで，３つの各種飲料水等容器と本考案に係る漏斗状部材とを隙間なく結合することが出来る。図３（ｃ）には，実際に隙間無く結合した状態を示されている。【００１５】  本実施の形態に係る漏斗状部材では，上部と底部との間に遮蔽部５が設けられ，３つの飲料水等容器４に別々に水が注入されるようになっている。
本実施の形態においても，本体上部の注入口３の形状を色々と変化させてデザイン性に優れた花瓶を形成することが出来る。図５（ａ），（ｂ）は，注入口３の形状を変化させた変形例を示している。従って，本実施の形態においても，室内の雰囲気に合わせてデザイン性に優れた漏斗状部材を提供することが出来る。【００１６】  なお，図５（ａ），（ｂ）の変形例では，本体上部と底部との間に遮蔽部５を設けていない。従って，漏斗部材の中心部に水を注ぐと，３つの各種飲料水等容器に均等に水が注入される。【００１７】  上記実施の形態では，１つ又は３つの飲料水等容器に結合される漏斗状部材を示したが，本考案は，それらに限定されるわけではなく，その他複数の飲料水等容器に結合され得るよう変形可能である。また，本実施の形態の３つの各種飲料水等容器は同じ大きさのものを使用しており，それらは互いに接するように配置されるが，それらに限定されるわけでなく，例えば，形状の異なる各種飲料水等容器を使用した場合など，接しない形態で配置することもできる。
【図面の簡単な説明】
【００１８】
【図１】  本考案の第１の実施の形態に係る漏斗状部材を示す説明図であり，図１（ａ）は斜視図，図１（ｂ）は平面図，図１（ｃ）は各種飲料水等容器との結合状態を示す斜視図である。
【図２】  本考案の第１の実施の形態の変形例を示す説明図であり，図２（ａ）は，本漏斗状部材の開口部内部にスクリュー状の雌ネジを設けた変形例を示す側面図，図２（ｂ）は，本漏斗状部材の開口部内部に同心円段差状の雌ネジを設けた変形例を示す側面図，図２（ｃ）は，本体上部の形状を花びら状とした変形例を示す平面図である。
【図３】  本考案の第２の実施の形態に係る漏斗状部材を示す説明図であり，図３（ａ）は斜視図，図３（ｂ）は平面図，図３（ｃ）は３つ各種飲料水等容器との結合状態を示す斜視図である。
【図４】  本考案の第２の実施の形態の変形例を示す説明図であり，図４（ａ）は，本漏斗状部材の開口部内部にスクリュー状の雌ネジを設けた変形例を示す側面図，図４（ｂ）は，本漏斗状部材の開口部内部に同心円段差状の雌ネジを設けた変形例を示す側面図である。
【図５】  図５（ａ），図５（ｂ）は，本考案の第２の実施の形態に係る漏斗状部材の，本体上部の形状を変化させた変形例を示す平面図である。
【符号の説明】１  本体
２  開口部
３  注入口
４  各種飲料水用等容器
５  遮蔽部
【図１】
0003154077.tif 000003
0003154077.tif 000004
【図２】
0003154077.tif 000005
0003154077.tif 000006
【図３】
0003154077.tif 000007
0003154077.tif 000008
【図４】
0003154077.tif 000009
【図５】
0003154077.tif 000010
【手続補正書】
【提出日】平成21年8月4日(2009.8.4)
【手続補正１】
【補正対象書類名】図面
【補正対象項目名】全図
【補正方法】変更
【補正の内容】
【図１】
0003154077.tif 000011
【図２】
0003154077.tif 000012
【図３】
0003154077.tif 000013
【図４】
0003154077.tif 000014
【図５】
0003154077.tif 000015